(57)【要約】【課題】平型ケーブルを正確かつ確実にコネクタのベースと上側ケーシングの間に固定して平型ケーブルをクランプするという目的を達成するコネクタを提供すること。【解決手段】平型ケーブルの上に据え付けられるコネクタであって、複数の端子を受けるために、動作端に配設された複数の端子・スロット及びベースの両側に別々に配設された旋回部材及び前記端子・スロットの両外側に配設された位置決め部材を有するベースと、前記旋回部材と旋回的に結合した旋回させられる部材及び前記位置決め部材に対応する位置に配設された位置決めされる部材を有する上側ケーシングとを備え、それによって前記平型ケーブルが、前記位置決め部材に対応して配設された貫通溝により前記ベースと前記上側ケーシングの間にクランプされ、前記位置決めされる部材が、前記位置決め部材に連結するために前記貫通溝を通過すること。【選択図】図１
0003118913.tif 000002
【実用新案登録請求の範囲】
【請求項１】
平型ケーブルの上に据え付けられるコネクタであって、
複数の端子を受けるために、動作端に配設された複数の端子・スロット及びベースの両側に別々に配設された旋回部材及び前記端子・スロットの両外側に配設された位置決め部材を有するベースと、
前記旋回部材と旋回的に結合した旋回させられる部材及び前記位置決め部材に対応する位置に配設された位置決めされる部材を有する上側ケーシングとを備え、
それによって前記平型ケーブルが、前記位置決め部材に対応して配設された貫通溝により前記ベースと前記上側ケーシングの間にクランプされ、前記位置決めされる部材が、前記位置決め部材に連結するために前記貫通溝を通過することを特徴とするコネクタ。
【請求項２】
前記ベースが、前記端子・スロット及び前記端子を露出から防止するためにベース・ケーシングにより覆われた後部を有することを特徴とする請求項１に記載のコネクタ。
【請求項３】
前記上側ケーシングが、前記ベース・ケーシングの側部に連結され、前記ベース・ケーシングの前記側部から突き出ている押し縁を含むことを特徴とする請求項２に記載のコネクタ。
【請求項４】
前記平型ケーブルが可撓平型ケーブルであることを特徴とする請求項１に記載のコネクタ。
【請求項５】
前記平型ケーブルが可撓プリント基板であることを特徴とする請求項１に記載のコネクタ。
【請求項６】
前記旋回部材が孔であり前記旋回させられる部材がほぞであることを特徴とする請求項１に記載のコネクタ。
【請求項７】
前記位置決め部材が孔溝であり前記位置決めされる部材が突起物であることを特徴とする請求項１に記載のコネクタ。
【請求項８】
前記位置決め部材又は前記位置決めされる部材がラッチをさらに備えることを特徴とする請求項１に記載のコネクタ。
【請求項９】
前記ラッチが切込みであることを特徴とする請求項８に記載のコネクタ。
【請求項１０】
前記ラッチが柔軟な結合体であることを特徴とする請求項８に記載のコネクタ。
【考案の詳細な説明】
【技術分野】
【０００１】
本考案は、コネクタに関し、より具体的には可撓性平型ケーブル（ＦＦＣ）又は可撓性プリント回路（ＦＰＣ）を固定するためのコネクタに関する。
【背景技術】
【０００２】
電子製品にはコネクタが共通して使用されており、可撓性平型ケーブル（ＦＦＣ）及び可撓性プリント回路（ＦＰＣ）が回路接続及び空間レイアウトに対する要件を満たすために導入されている。対応するＦＦＣ又はＦＰＣコネクタが使用されるとき、回路接続の効果を最大にすることができる。したがってキーボード、ノートブック・コンピュータ、移動電話及びファクシミリ・マシンなどの製品でＦＦＣ及びＦＰＣが幅広く使用されている。
【０００３】
名前が暗示するようにコネクタの主な機能は、信号及び／又は電源を接続又は中継することである。したがってコネクタは、通常は回路基板である対象物をしっかりと接続するために設けられており、接続が不適切であると信号又は電源が遮断される。設計の要点は確実な接続に絞られる。
【０００４】
「電気コネクタ」と表題をつけられた中華民国特許申請第９２２１３４４６号が、ラッチが結合されたときにコネクタを確保することができるように金属ケーシング上に配設された補強されたアーム及びＴ字型の溝並びにそのＴ字型溝に対応してベース上に配設されたＴ字型の突起物を有するコネクタを開示している。しかしこのような特許は、回路基板の端子が差し込まれたときの恒常的な接続を考慮していない。ＦＦＣを適切な位置にガイドすることができず、ＦＦＣは適切に差し込まれず又は適切に固定され、又はＦＦＣの片側が傾斜する。その結果回路は接触不良をおこし、或いは短絡さえ起こす。したがってＦＦＣは補強をするか、再度差し込まなくてはならない。さらに接続又は信号が正しいか否か調べるのにさらなるマンパワーが必要である。ＦＦＣのコネクタのピッチ又はピンの数が小さくなると上記の状態が非常に頻繁になる。
【考案の開示】
【考案が解決しようとする課題】
【０００５】
本考案の主な目的は、平型ケーブルを正確かつ確実にコネクタのベースと上側ケーシングの間に固定して平型ケーブルをクランプするという目的を達成するコネクタを提供することである。前記の上側ケーシング及びベースの取付けで構成部品は相互に干渉及びラッチされ、構成部品は、平型ケーブルを通過するための、平型ケーブルの対応する位置に配設される。上側ケーシングがベースに係合すると、干渉及びラッチにより上側ケーシングは緩む又は落ちることはなく、その結果上側ケーシングを正確に所定位置に取り付けるという結果が実現される。
【課題を解決するための手段】
【０００６】
前記の目的を達成するために本考案は、平型ケーブルに据え付けしようとするコネクタであって、複数の端子を受けるために動作端部に配設された複数の端子・スロットを有するベースと、ベースの両側に別々に配設された旋回する部材と、端子・スロットの両外側に配設された位置決め部材と、旋回する部材に旋回的に結合されている旋回させられる部材を有する上側ケーシングと、位置決め部材に対応した位置に配置される位置決めされる部材を有するベースとを備え、それによって平型ケーブルが、位置決め部材に対応して配設された貫通溝及び貫通溝を貫通して位置決め部材と結合する位置決めされる部材によってベースと上側ケーシングの間にクランプされるコネクタを提供する。
又、前記ベースが、前記端子・スロット及び前記端子を露出から防止するためにベース・ケーシングにより覆われた後部を有することが好適である。
又、前記上側ケーシングが、前記ベース・ケーシングの側部に連結され、前記ベース・ケーシングの前記側部から突き出ている押し縁を含むことが好適である。
又、前記平型ケーブルが可撓平型ケーブルであることが好適である。
又、前記平型ケーブルが可撓プリント基板であることが好適である。
又、前記旋回部材が孔であり前記旋回させられる部材がほぞであることが好適である。
又、前記位置決め部材が孔溝であり前記位置決めされる部材が突起物であることが好適である。
又、前記位置決め部材又は前記位置決めされる部材がラッチをさらに備えることが好適である。
又、前記ラッチが切込みであることが好適である。
さらに、前記ラッチが柔軟な結合体であることが好適である。
【考案を実施するための最良の形態】
【０００７】
本考案は以下の説明及び添付の図面を参照することにより、より完全に理解することができる。
【０００８】
図１〜５を参照すると本考案のコネクタは、ベース１、上側ケーシング２及び平型ケーブル３を備え、平型ケーブル３は、可撓平型ケーブル（ＦＦＣ）又は可撓プリント回路（ＦＰＣ）とすることができる。ベース１は絶縁材料でできており、複数の端子１２を受けるため、動作端Ａの最も近くに複数の端子・スロット１１を含み、ベース１の後部はベース・カバー１３で覆われ、したがって端子・スロット１１及び端子１２は露出しない。側壁１４はベース１１の両側に別々に配設され、側壁１４は単体のピラー又はトラックの形状をしており、それによって側壁１４は、旋回的に上側ケーシング２と結合させることができる。側壁１４は、旋回部材１５をさらに備え、旋回部材１５は、この好ましい実施形態では孔であるがほぞとすることもできる。
【０００９】
本考案の特徴は、位置決め部材１６が、端子・スロット１１とベース１の両側に配置された側壁１４との間に据え付けられており、位置決め部材１６が、それに制約されるものではないが突起物を含む貫通又は非貫通の孔溝であり、位置決め部材１６が、それに制約されるものではないが矩形、円形又はそのほかの形状を含むことである。
【００１０】
上側ケーシング２は、長いバーの形状をしており端子・スロット１１の露出部分に対応するサイズを有し、したがって上側ケーシング２が係合した後では上側ケーシング２は端子・スロット１１を覆うことができる。旋回させられる部材２１は旋回部材１５に対応して配設されており、選択的にかつ旋回的に上側ケーシングの側部に結合されている。旋回させられる部材２１は、この好ましい実施形態によればほぞであるが、それに制約されるものではない。前述の旋回部材１５がほぞである場合には旋回させられる部材２１は対応して孔になり、旋回部材１５は、旋回部材１５と旋回させられる部材２１との係合を増強するためにばねのような弾力のある部材を含むことが好ましい。さらに位置決めされる部材２２は位置決め部材１６に対応する位置に据え付けられ、位置決めされる部材２２のサイズ及び形は位置決め部材１６のほぞのサイズ及び形状に対応している。位置決め部材１６がほぞである場合には位置決めされる部材２２は孔溝である。位置決め部材１６を位置決めされる部材２２に確実にラッチするために位置決めされる部材２２は、図に示すようにラッチ２３を含む。ラッチ２３は、位置決めされる部材２２を直接包み込むことができる柔らかな材料でできている結合体であり、或いは位置決めされる部材２２に切込みが形成されており、したがって位置決めされる部材が位置決め部材１６にラッチされるとラッチ２３は位置決め部材１６を押し付けて接続を確実にする。しかしこのような仕組みは従来技術であり、したがって詳細は説明しない。さらに押し縁（ｐｒｅｓｓｉｎｇ  ｅｄｇｅ）２４は、上側ケーシング２をベース・ケーシング１３の側面に連結して、上側ケーシング２がベース・ケーシング１３に係合した後に平型ケーブルを押し付けるために側壁から突き出している。
【００１１】
図２で、平型ケーブル３の前端は、平型ケーブル・端子３１が端子１２に結合された後に、対応する端子１２と結合されて電気的な接続をもたらす複数の平型ケーブル・端子３１を含む。少なくとも１つの貫通溝３２が、位置決めされる部材２２を通過させるために位置決め部材１６に対応した位置に配置されている。貫通溝３２は、この好ましい実施例では切込みであるが、孔とすることもできる。
【００１２】
本考案の適用例に対する図４及び５を参照すると、旋回させられる部材２１は旋回的に旋回部材１５に結合させることができ、それによって上側ケーシング２をベース１から持ち上げることができ、次いで平型ケーブル３をベース１の露出部分で適所に配置し、平型ケーブル・端子３１をベース１の端子１２に対応させ、次いで上側ケーシング２を下方向に回転させてベース１と係合させる。位置決めされる部材２２は、貫通溝３２を通過し位置決め部材１６に組み込まれて位置決めをする。図５で、押し縁２４が平型ケーブル３の平型ケーブル・端子３１の部分を押し付け接続を確実にする。ラッチ２３が据え付けられている場合には、上側ケーシング２とベース１はより確実に結合される。
【００１３】
本考案の適用例では、可撓平型ケーブルのコネクタがしっかりと結合されて電気接続をもたらす。コネクタがラッチされると、ユーザはコネクタのスナップ動作を感ずることができる。一方本考案は、金メッキ・端子へのスクラッチ傷又は破損の可能性を防止するようにＦＦＣの引張り及び押付け応力を改善することができ、又平型ケーブルには垂直方向下向きにアクセスすることができる。
【００１４】
本考案を、例証として好ましい実施例に関して説明してきたが、本考案はそれらに制約されるものでないことを理解されたい。それとは逆に様々の変形形態及び同様の仕組み及び手順がカバーされるものとし、したがって実用新案登録請求の範囲は、そのような変形形態及び同様の仕組み及び手順を包含するように最も広範な解釈が与えられるものとする。
【００１５】
上記説明の要約として、本明細書に記載の本考案は従来型構造より性能を増強するものである。
【図面の簡単な説明】
【００１６】
【図１】本考案の好ましい一実施形態の分解図である。
【図２】本考案によって旋回的にベースに結合している上側ケーシングの略図である。
【図３】本考案によって差し込まれた可撓平型ケーブルの略図である。
【図４】本考案によって据え付けられた上側ケーシング及びベースの断面図である。
【図５】本考案によって差し込まれた可撓平型ケーブルの断面図である。
【符号の説明】
【００１７】
１    ベース
２    上側ケーシング
３    平型ケーブル
１１  端子・スロット
１２  端子
１３  ベース・ケーシング
１４  側壁
１５  旋回部材
１６  位置決め部材
２１  旋回させられる部材
２２  位置決めされる部材
２３  ラッチ
２４  押し縁
３１  平型ケーブル・端子
３２  貫通溝
【図１】
0003118913.tif 000003
【図２】
0003118913.tif 000004
【図３】
0003118913.tif 000005
【図４】
0003118913.tif 000006
【図５】
0003118913.tif 000007